(57)【要約】【課題】  壁から保管庫や金庫の取り外しを困難にすると共に、保管庫や金庫を取り外しを行う前に警報装置を作動させて犯罪を防止し、保管庫や金庫の表面に装飾的に変化をもたらす壁取付け用金庫を提供すること。【解決手段】  この発明は、壁取付け基礎フレ−ム（１）が壁面取付け辺（１．１）と立ち辺（１．２）とから成り、壁面取付け辺から直立した四つの立ち辺により直立長方形枠体を形成し、これら立ち辺には金庫支持アングルプレ−ト（２）を挿入するための長溝（１．３）を備えており、この支持アングルプレ−ト（２）を長溝（１．３）に挿入して金庫支持アングルプレ−トを基礎フレ−ムの壁面取付け辺と共に壁にボルト締めして固定し、支持アングルプレ−ト（２）内に金庫（３）を挿入してボルトにより壁に固定しおり、プラスチック製の化粧カバ−がその後壁にマイクロスイッチなどのスイッチ（５．３）により作動する警報装置（５．２）を取り付けて、その警報装置は化粧カバ−（５）が金庫（３）から取り外されると、スイッチ（５．３）が作動して警報を発するように配置されている。【選択図】    図１
2005163416.tif 000002
【特許請求の範囲】
【請求項１】
壁取付け基礎フレ−ム１が壁面取付け辺１．１と立ち辺１．２とから成り、壁面取付け辺１．１から直立した四つの立ち辺１．２により直立長方形枠体を形成し、これら立ち辺１．２には金庫支持アングルプレ−ト２を挿入するための長溝１．３を備えており、まず最初に基礎フレ−ム１を壁面にボルトで取り付け、次に支持アングルプレ−ト２を長溝１．３に挿入して金庫支持アングルプレ−ト２を基礎フレ−ムの壁面取付け辺１．１と共に壁にボルト締めして固定し、支持アングルプレ−ト２内に金庫３を挿入してボルトにより壁に固定することを特徴とする壁取付け用金庫。
【請求項２】
基礎フレ−ムの壁面取付け辺は基礎フレ−ム自体を壁面に取り付けるねじ孔とアングルプレ−トを取り付けるねじ孔とを有し、この支持アングルプレ−トを長溝に挿入してアングルプレ−トを基礎フレ−ムに設置すると、アングルプレ−トが基礎フレ−ム取り付け用のねじ孔を覆い隠すことを特徴とする特徴とする請求項１に記載の壁取付け用金庫。
【請求項３】
プラスチック製の化粧カバ−は金庫及び壁取付け基礎フレ−ムを覆うように取り付け、プラスチック製の化粧カバ−の内壁の突起を金庫外壁の凹部に係合させて嵌め込み式に固定することを特徴とする請求項１或いは請求項２に記載の壁取付け用金庫。
【請求項４】
プラスチック製の化粧カバ−がその後壁にマイクロスイッチなどのスイッチにより作動する警報装置を取り付けており、その警報装置は化粧カバ−が金庫から取り外されて壁面から離れると、スイッチが作動して警報を発するように配置されていることを特徴とする請求項１乃至請求項３のいずれか一項に記載の壁取付け用金庫。
【発明の詳細な説明】
【技術分野】
【０００１】
この発明は、ホテル、事務所、店舗、自宅などにおいて貴重品を保管するために用いられる壁取付け用金庫に関する。
【従来技術】
【０００２】
従来より、事務所や店舗では、閉店時に現金や貴金属等の高価な商品は保管庫や金庫に収納保管したりして未然に犯罪を防ぐようにしているが、最近は例え重量があったとしても保管庫や金庫ごと持ち去る事件が増加している。
【０００３】
この為に、保管庫や金庫を有する事務所や店舗では、警備システムを導入し、保管庫や金庫を設置した領域に侵入者が侵入すると、警報を発するようになっている（特許文献１）。このようなシステムでは、事務所や店舗の状況により検出センサ−の死角となる事情が発生していた。また、保管庫や金庫を保安エンコロ−ジヤ内に収納し、金庫に直接に攻撃やアクセスできない装備もある（特許文献２）けれども、装備が大仕掛けで費用がかかり過ぎる。そして保管庫や金庫は、その表面の模様や色がいつも同じであり、装飾的に変化をもたらすこともできないものであった。
【０００４】
また、消費者は金庫には大変興味をもっており、衝動的に購入を欲しながら、一般金庫は重量的に持ち帰ることができず、そのまま購入熱がさめてしまうことが多く、持ち帰ることができる比較的小型の金庫であって、安全に保管固定できることが望まれていた。
【０００５】
さらに、バ−ルなどの工具を使用して設置固定を破壊して保管庫や金庫ごと持ち去ることを防止するために、現金自動取引装置などでは囲い箱体ごと壁と一体に取り付けられている（特許文献３）のと同じ考え方から、比較的小型の保管庫や金庫は壁や床に設置固定することが行われていた。しかしながら、警備システムや設置固定を短時間に破壊して持ち去ることなども起きていた。
【特許文献１】特開平１１−２４７５３０号公報
【特許文献２】特開平１０−２４６０６３号公報
【特許文献３】特開２０００−２３５６７７号公報
【発明の開示】
【発明が解決しようとする課題】
【０００６】
この発明の課題は、壁から保管庫や金庫の取り外しを困難にすると共に、保管庫や金庫を取り外しを行う前に警報装置を作動させて犯罪を防止し、保管庫や金庫の表面に装飾的に変化をもたらす壁取付け用金庫を提供することである。
【課題を解決するための手段】
【０００７】
壁から保管庫や金庫の取り外しを困難にすると言う課題を解決するために、この発明は、壁取付け基礎フレ−ムが壁面取付け辺と立ち辺とから成り、壁面取付け辺から直立した四つの立ち辺により直立長方形枠体を形成し、これら立ち辺には金庫支持アングルプレ−トを挿入するための長溝を備えており、この金庫支持アングルプレ−トを基礎フレ−ムの長溝に挿入して金庫支持アングルプレ−トを基礎フレ−ムの壁面取付け辺と一緒に壁にボルト締めして固定し、支持アングルプレ−ト内に金庫を挿入してボルトにより壁に固定することを特徴とする壁取付け用金庫を提供する。
【０００８】
さらに、この発明は、基礎フレ−ム１の壁面取付け辺１．１は基礎フレ−ム１自体を壁面に取り付けるねじ孔Ａとアングルプレ−ト２を取り付けるねじ孔Ｂとを有し、この支持アングルプレ−ト２を長溝１．３に挿入してアングルプレ−ト２を基礎フレ−ム１に設置すると、アングルプレ−ト２が基礎フレ−ム１取付け用のねじ孔Ａを覆い隠すことを特徴とする壁取付け用金庫を提供する。
【０００９】
次に、保管庫や金庫の表面に装飾的に変化をもたらすと言う課題を解決するために、この発明は、プラスチック製の化粧カバ−は金庫及び壁取付け基礎フレ−ムを覆うように取り付け、プラスチック製の化粧カバ−の内壁の突起を金庫外壁の凹部に係合させて嵌め込み式に固定することを特徴とする壁取付け用金庫を提供する。
【００１０】
さらに、保管庫や金庫を取り外しを行う前に警報装置を作動させて犯罪を防止すると言う課題を解決するために、この発明は、プラスチック製の化粧カバ−がその後壁にマイクロスイッチなどのスイッチにより作動する警報装置を取り付けて、その警報装置は化粧カバ−が金庫から取り外されると、スイッチが作動して警報を発するように配置されていることを特徴とする壁取付け用金庫を提供する。
【発明の効果】
【００１１】
この発明（請求項１に記載）の壁取付け用金庫によると、金庫自体が壁にボルトにより取り付けられると共に、金庫支持アングルプレ−トを介して壁取付け基礎フレ−ムに設置固定されているから、バ−ル等の工具を使用しても壁取付け基礎フレ−ムを簡単に破壊できない構造であるので、壁取付け基礎フレ−ムから金庫を取り外すことは極めて困難であり、防犯効果が大きい構造である。                                                
【００１２】
この発明（請求項２に記載）の壁取付け用金庫によると、アングルプレ−ト２を基礎フレ−ム１に設置すると、アングルプレ−ト２が基礎フレ−ム１の取付け用のねじ孔１．４を覆い隠すので、ねじ孔１．５からボルトＢを取り外しても、金庫設置後には、金庫支持アングルプレ−トは取り外せなく、それ故に、ねじ孔１．４からボルトＡを取り外すことはできない。  
【００１３】
この発明（請求項３に記載）の壁取付け用金庫によると、プラスチック製の化粧カバ−は、安価に製造できるものであり、各種の色や模様などの装飾的効果の大きい化粧カバ−として数種類を用意すれば、季節や必要に応じて交換して使用できる。また、プラスチック製の化粧カバ−の内壁の突起を金庫外壁の凹部に係合させて嵌め込み式に固定するものに創作して取り付けや交換が極めて容易に実施できる。
【００１４】
この発明（請求項４に記載）の壁取付け用金庫によると、プラスチック製の化粧カバ−には、警報装置は化粧カバ−が金庫から取り外されるとマイクロスイッチが作動して警報を発するように配置されているから、侵入者が金庫を破壊する前の化粧カバ−を取り外した際に警報装置が作動して警報を発するので、防犯効果が極めて大きい。
【発明を実施するための最良の形態】
【００１５】
この発明は、壁取付け用基礎フレ−ムと、化粧カバ−と、取付金庫とからなる壁取付け用金庫を図面に基づいて詳細に説明する。図１は、壁取付け用金庫の各成分を取り外し分解した斜視図を示し、図２は基礎フレ−ムと金庫支持アングルプレ−トとを壁に取り付けた状態を示し、図３は壁取付け用金庫の扉の開いた状態の斜視図を示し、図４は化粧カバ−にマイクロスイッチで作動する警報装置を取り付けた状態を示し、図５は壁取付け用金庫の各成分を取り外し分解した分解図であって、図１と反対方向から見た斜視図を示す。
【実施例】
【００１６】
図１は、壁取付け用金庫の各成分を取り外し分解した斜視図を示し、先ず最初に、金庫の壁取付けフレ−ム部材について説明する。壁取付け基礎フレ−ム１が壁面取付け辺１．１と立ち辺１．２とから成り、壁面取付け辺１．１から直立した四つの立ち辺１．２により直立長方形枠体を形成し、これら立ち辺１．２には金庫支持アングルプレ−ト２を挿入するための長溝１．３を備えており、基礎フレ−ム１のねじ孔１．４にボルトＡで締めて壁面に基礎フレ−ム１を固定し、金庫支持アングルプレ−ト２を基礎フレ−ム１の長溝１．３に挿入して金庫支持アングルプレ−ト２を基礎フレ−ムの壁面取付け辺１．１のねじ孔１．５を通してボルトＢにより壁に締めつけ固定し（図２参照）、支持アングルプレ−ト２内に金庫を挿入してボルトにより壁に固定する。
【００１７】
また、基礎フレ−ム１の壁面取付け辺１．１は基礎フレ−ム１自体を壁面に取り付けるねじ孔１．４とアングルプレ−ト２を取り付けるねじ孔１．５とを有し、この支持アングルプレ−ト２を長溝１．３に挿入してアングルプレ−ト２を基礎フレ−ム１に設置すると、アングルプレ−ト２が基礎フレ−ム１のねじ孔１．４を覆い隠す。
【００１８】
従って、ねじ孔１．５からボルトＢを取り外しても、金庫設置後には、金庫支持アングルプレ−ト２は取り外せなく、それ故に、ねじ孔１．４からボルトＡを取り外すことはできない。バ−ル等の工具を使用して金庫３を取り外すには、アングルプレ−ト２が邪魔になっており、取り外すことは極めて困難であり、防犯効果が大きい構造である。  
【００１９】
次に、取付金庫３について図３から説明する。取付金庫３は比較的小型のものであり、壁取付け基礎フレ−ム１が壁面に取付けられた後に、直立長方形枠体に設置した金庫支持アングルプレ−ト２内に挿入されて、壁面に後壁のボルト穴３．２でボルト締めして固定する。金庫３の外部両側壁には凹部３．１が形成されている。更に、化粧カバ−５は金庫３を覆う装飾的カバ−であって、プラスチック材料から比較的安価に製造され、各種の色や模様などの装飾的効果の大きいカバ−を用意して交換して使用できる。この化粧カバ−５は金庫扉４を露出するように前面を開放したものである。この化粧カバ−５の内部両側壁には凸状突起５．１が設けられており、金庫３が壁取付け基礎フレ−ム１に取付けられた後に、化粧カバ−５を金庫３に被せて、金庫３の両側壁の凹部３．１に凸状突起５．１を勘合させて固定する。
【００２０】
この実施態様では、基礎フレ−ム１を壁面にねじ孔１．４でボルトＡ締めして固定し、金庫３を壁面に取り付けてた後に、金庫３に化粧カバ−５を被せているけれども、基礎フレ−ム１を使用しないで、直接に金庫３を壁面に取り付けて、化粧カバ−５を被せて取り付けても良い。また、金庫３の両側壁の凹部３．１や化粧カバ−５の内部両側壁の凸状突起５．１は、図に開示されたものに限定されずに、その大きさや形状或いは設置箇所を適宜必要に応じて変え得ることは言うまでもない。
【００２１】
図４は化粧カバ−にマイクロスイッチなどのスイッチで作動する警報装置を取り付けた状態を示し、プラスチック製の化粧カバ−５の上部後壁には、マイクロスイッチなどのスイッチ５．３により作動する警報装置５．２が取り付けられていて、この際にマイクロスイッチなどのスイッチ５．３が壁面と接触しており、その警報装置５．２は化粧カバ−５が金庫３から取り外されると、つまり壁面から離されると、マイクロスイッチ５．３などのスイッチが作動して警報を発するように配置されている。従って、侵入者が化粧カバ−を取り外した際に警報装置が作動して警報を発するので、金庫を破壊する前に警報を発する構成であるから、防犯効果が極めて大きいものと言える。  
【００２２】
図５は壁取付け用金庫の各成分を取り外し分解した分解図であって、図１と反対方向から見た斜視図を示す。プラスチック製の化粧カバ−５の上部後壁５．６から警報装置５．２が取り出され、化粧カバ−５の上部後壁５．６に警報装置５．２を収容した後には、カバ−部材５．５がボルト締めして上部後壁５．６に固定されることが理解される。そのカバ−部材５．５の長溝からマイクロスイッチ等のスイッチ５．３が突き出している状態に設置されるものである。
【図面の簡単な説明】
【００２３】
【図１】この発明の壁取付け用金庫の各成分を取り外し分解した斜視図を示す。
【図２】この発明の一態様である基礎フレ−ムと金庫支持アングルプレ−トとを壁に取り付けた状態を示す。
【図３】壁取付け用金庫の扉の開いた状態の斜視図を示す。
【図４】この発明の一態様である化粧カバ−にスイッチで作動する警報装置を取り付けた状態を示す。
【図５】壁取付け用金庫の各成分を取り外し分解した分解図であって、図１と反対方向から見た斜視図を示す。
【符号の説明】
【００２４】
１．．．．．壁取付け基礎フレ−ム  
１．１．．．．．壁面取付け辺
１．２．．．．．直立立ち辺
１．３．．．．．長溝
１．４．．．．．ボルト孔
１．５．．．．．ボルト孔
Ａ．．．．．フレ−ム取付け用ボルト
Ｂ．．．．．アングルプレ−ト取付け用ボルト
２．．．．．金庫支持アングルプレ−ト
３．．．．．金庫
３．１．．．．．凹部
３．２．．．．．ボルト孔
４．．．．．金庫の扉
５．．．．．化粧カバ−
５．１．．．．．突起
５．２．．．．．警報装置
５．３．．．．．マイクロスイッチなどのスイッチ
５．４．．．．．ボルト
５．５．．．．．カバ−部材                                                      ５．６．．．．．カバ−上部後壁
【図１】
2005163416.tif 000003
【図２】
2005163416.tif 000004
【図３】
2005163416.tif 000005
【図４】
2005163416.tif 000006
【図５】
2005163416.tif 000007